(57)【要約】【課題】デザイン性を高めつつ誤った操作位置を押されにくくしたスイッチ装置を提供する。【解決手段】スイッチ装置１は、操作のためのハンドル２３が前面に揺動自在に配置され、前面を露出させた状態で壁７に取り付けられるスイッチ２と、壁７に取り付けられる化粧プレート３とを備える。化粧プレート３は、外周が四角形状であってスイッチ２が挿入される挿入孔５３を有している。スイッチ２が挿入された状態の化粧プレート３において、ハンドル２３の揺動方向に沿う突出部４１は、化粧プレート３の他の三辺と異なる配色であって、ハンドル２３は、化粧プレート３のいずれの配色とも異なる配色である。【選択図】図１
2015011907.tif 000002
【特許請求の範囲】
【請求項１】
操作のためのハンドルが前面に揺動自在に配置され、前記前面を露出させた状態で壁に取り付けられるスイッチと、
外周が四角形状であって前記スイッチが挿入される挿入孔を有し、前記挿入孔から前記スイッチの前面を露出させた状態で前記壁に取り付けられる枠部とを備え、
前記スイッチが挿入された状態の前記枠部において、前記ハンドルの揺動方向に沿う前記枠部の一辺は、前記枠部の他の三辺と異なる配色であって、
前記ハンドルは、前記枠部のいずれの配色とも異なる配色であることを特徴とするスイッチ装置。
【発明の詳細な説明】
【技術分野】
【０００１】
本発明は、スイッチ装置に関するものである。
【背景技術】
【０００２】
従来、壁に取り付けて使用されるスイッチとして、スイッチのモジュールの周りを囲う四角形状のプレートの一辺をスイッチのモジュールと同色にしたスイッチがあった（例えば特許文献１参照）。
【先行技術文献】
【特許文献】
【０００３】
【特許文献１】意匠登録第１３６２８４４号
【発明の概要】
【発明が解決しようとする課題】
【０００４】
上記スイッチでは、一般的に操作ハンドルの右側縁部を押して操作する横型のピアノハンドルを備えたスイッチのモジュールが使用されており、プレートの配色から操作ハンドルの右側縁部が操作位置であると認識しやすくなっている。そのため、上記スイッチのデザインで縦型のロッカースイッチを備えたスイッチ装置では、使用者が横型のピアノハンドルと勘違いして、操作ハンドルの右側部分を誤って押す可能性があった。
【０００５】
本発明は上記課題に鑑みて為されたものであり、その目的とするところは、デザイン性を高めつつ誤った操作位置を押されにくくしたスイッチ装置を提供することにある。
【課題を解決するための手段】
【０００６】
上記課題を解決するために、本発明のスイッチ装置は、操作のためのハンドルが前面に揺動自在に配置され、前記前面を露出させた状態で壁に取り付けられるスイッチと、外周が四角形状であって前記スイッチが挿入される挿入孔を有し、前記挿入孔から前記スイッチの前面を露出させた状態で前記壁に取り付けられる枠部とを備え、前記スイッチが挿入された状態の前記枠部において、前記ハンドルの揺動方向に沿う前記枠部の一辺は、前記枠部の他の三辺と異なる配色であって、前記ハンドルは、前記枠部のいずれの配色とも異なる配色であることを特徴とする。
【発明の効果】
【０００７】
本発明によれば、操作のためのハンドルが、枠部のいずれの配色とも異なっており操作位置がわかりやすいので、使用者は誤った操作位置を押しにくくなる。
【図面の簡単な説明】
【０００８】
【図１】本実施形態のスイッチ装置を示し、（ａ）は壁に取り付けられた状態の正面図、（ｂ）は右側面図、（ｃ）は下面図である。
【図２】同上の分解斜視図である。
【図３】同上の配色箇所を説明するための説明図である。
【発明を実施するための形態】
【０００９】
本実施形態のスイッチ装置を図１〜図３に基づいて説明する。尚、以下の説明では図１（ａ）に示す向きを基準として上下左右の方向を規定し、図１（ｂ）における左右方向を前後方向として説明する。
【００１０】
本実施形態のスイッチ装置１は、図２に示すようにスイッチ２と、スイッチ２を保持する取付枠６と、取付枠６の前面に取り付けられる化粧プレート３とで構成される。化粧プレート３は、内枠部５と、外枠部４とを備えている。
【００１１】
スイッチ２は、ケース２０と、ケース２０の前面に配置されたハンドル２３とを備える。尚、スイッチ２は、ケース２０及びハンドル２３の配色を除いて、特開平１１−４５６３９号公報に開示されたものと同様の構成を有しているので、詳細な説明は省略する。
【００１２】
ケース２０は、ボディ２６とカバー２１とを組立枠２７で結合して構成される。
【００１３】
ボディ２６は、樹脂材料（例えばユリア樹脂等）で形成されており、前面が開口した矩形箱状に形成されている。カバー２１は、例えば黒色に着色された樹脂材料（例えばユリア樹脂等）で形成されており、前面から見て矩形状に形成されている。カバー２１の前面には、ハンドル２３を挿入する孔２１ａが設けられていて、カバー２１の前面の上側にはランプカバー２２を挿入する孔２１ｂが設けられている。
【００１４】
カバー２１は、孔２１ａにハンドル２３が挿入された状態でボディ２６の前面を覆い、ハンドル２３をボディ２６に取り付ける。カバー２１の左右方向における中央部には、左右方向の両側部よりも前方に突出する突台部２１ｃが設けられ、突台部２１ｃの前面が、後述する化粧プレート３の開口部４３から前方に突出する。ボディ２６とカバー２１とは、カバー２１の左右両側部に配置される金属製の組立枠２７を用いて結合されている。それぞれの組立枠２７には、カバー２１の左右方向の外側に向かって突出する係止爪２５が設けられている。尚、カバー２１は黒色の樹脂材料で形成されることに限定されず、樹脂成型後に黒色に塗装されていてもよい。
【００１５】
ハンドル２３は、例えば赤色に着色された樹脂材料（例えばユリア樹脂等）により背面側が開口した矩形箱状に形成されている。ハンドル２３の前面の下側には、左右方向に細長い長円形状の突起２４が形成されており、突起２４の内側の色は白色に配色されている。ハンドル２３の左右両側面には、上下方向における中間部に軸（図示せず）が設けられている。ハンドル２３は、カバー２１の前面に開口した孔２１ａに裏側から挿入され、左右両側面の軸をカバー２１の軸受け部分（図示せず）に支持させることによって、ハンドル２３がカバー２１に対して回転自在に取り付けられている。ハンドル２３の上端が前方に突出し、ハンドル２３の下端が後退している状態で、ハンドル２３の上側を押すと、ハンドル２３が軸を中心に回転して、ハンドル２３の上端が後退し、ハンドル２３の下端が前方に突出した状態となる。また、この状態からハンドル２３の下側を押すと、ハンドル２３が軸を中心に回転して、ハンドル２３の下端が後退し、ハンドル２３の上端が前方に突出した状態となる。ハンドル２３の下側（突起２４付近）を押すとスイッチ２がオンになり、ハンドル２３の上側を押すとスイッチ２がオフになる。尚、ハンドル２３は、赤色の樹脂材料で形成されることに限定されず、樹脂成型後に赤色に塗装されていてもよい。また、突起２４の内側の配色は白色に限定されず、例えば黒色等の適宜の色でもよい。さらに、スイッチ２は、ハンドル２３の下側を押してオンになるスイッチに限定されず、ハンドル２３の上側を押してオンになるものでもよい。
【００１６】
ケース２０の内部には、ハンドル２３の操作に応じてオン／オフが切り替わる接点装置（図示せず）と、接点装置に電線を接続するための端子装置（図示せず）とが収納されている。またケース２０の内部には、接点装置のオン時に点灯し、接点装置のオフ時に消灯するパイロットランプ（図示せず）が収納されている。パイロットランプは例えばネオン管やＬＥＤ（Light Emitting Diode）等で構成され、カバー２１の孔２１ｂに面するように設けられている。パイロットランプは、スイッチ２がオンのときに例えば赤色に点灯し、スイッチ２がオフの時に消灯する。尚、パイロットランプは、スイッチ２がオンのときに消灯し、スイッチ２がオフの時に点灯するものでもよい。
【００１７】
ランプカバー２２は、透光性を有する樹脂材料（例えばアクリル樹脂等）で形成されていて、孔２１ｂに取り付けられている。ランプカバー２２は、孔２１ｂに面して設けられたパイロットランプの光を透過するので、カバー２１の外部からパイロットランプの光が見えるようになっている。
【００１８】
取付枠６は、樹脂材料（例えば変性ＰＰＯ樹脂等）により四角枠状に形成されている。取付枠６の上下の枠部には、内枠部５を取付枠６に固定するための係止孔６４がそれぞれ設けられており、取付枠６の中央部には、カバー２１の突台部２１ｃよりやや大きい挿入孔６１が設けられている。挿入孔６１の左右両側縁には、係止爪２５が挿入される係止孔（図示せず）がそれぞれ設けられている。挿入孔６１にカバー２１の突台部２１ｃを挿入し、係止爪２５をそれぞれ係止孔に挿入することにより、スイッチ２が取付枠６に固定される。取付枠６にスイッチ２が固定された状態で、孔６３に通されたねじ（図示せず）が、壁７に埋設されたスイッチボックス（図示せず）のねじ部にねじ込まれることによって取付枠６が壁７に取り付けられる。尚、本実施形態では取付枠６が係止孔を有し、スイッチ２が係止爪２５を有しているが、スイッチ２に係止孔を設けて取付枠６に係止爪を設けてもよい。また、取付枠６は、樹脂材料で形成されることに限定されず、例えば金属材料で形成されていてもよい。
【００１９】
内枠部５は、例えば黒色に着色された樹脂材料（例えばＡＢＳ樹脂等）により四角枠状に形成されている。内枠部５の上側縁には、背面方向に突出して取付枠６の係止孔６４に挿入される係止爪５２が設けられている。内枠部５の中央部には、突台部２１ｃよりもやや大きい挿入孔５３が設けられている。内枠部５の前面には、挿入孔５３の周りに、後述するＵ字板４２の開口部４３内に挿入される突出部５１が形成されている。突出部５１は、開口部４３内に挿入されたときに、内枠部５の前側に取り付けられたＵ字板４２の前面とほぼ面一となるように形成されている。係止爪５２を係止孔６４に係止させることにより、内枠部５が取付枠６に係止される。尚、内枠部５は、黒色を有する適宜の材料で形成されていてもよいし、適宜の材料で形成された後に黒色に塗装されていてもよい。
【００２０】
外枠部４は、四角形状の平板の中央部が内枠部５よりも大きく開口している枠体４６と、枠体４６の前側に取り付けられたＵ字板４２とを備えている。
【００２１】
枠体４６は、内枠部５と同じ色（例えば黒色）に着色された樹脂材料（例えばＡＢＳ樹脂等）で形成されている。枠体４６の一辺（左辺）には、他の三辺よりも前方に突出する矩形の突出部４１が一体的に形成されている。尚、枠体４６は黒色を有する適宜の材料で形成されていてもよいし、適宜の材料で形成された後に黒色に塗装されていてもよい。
【００２２】
Ｕ字板４２は、四角形状の平板の中央部に突出部５１とほぼ同じ大きさの矩形孔が設けられていて、左方向に開口しているＵ字状の平板であり、枠体４６の前面よりもやや幅広く形成されている。Ｕ字板４２は、銀色の金属製の平板（例えばアルミ板等）で形成されており、接着部材（例えば両面テープ等）によって、枠体４６の突出部４１を除く三辺に取り付けられている。Ｕ字板４２を枠体４６に取り付けた状態で、Ｕ字板４２と突出部４１との前面はほぼ面一となっている。外枠部４の中央部には、Ｕ字板４２と突出部４１とによって開口部４３が形成されている。尚、Ｕ字板４２は、アルミ板の他にも銀色を有する適宜の材料で形成されていてもよいし、適宜の材料で形成された後に銀色に塗装されていてもよい。さらに、Ｕ字板４２を枠体４６に取り付ける方法は、接着部材を用いる方法に限定されず、例えばＵ字板４２と枠体４６とにそれぞれ係止部を設けて、Ｕ字板４２が枠体４６に係止される方法でもよい。
【００２３】
枠体４６の背面には係止爪（図示せず）が設けられており、開口部４３に突台部２１ｃを挿入し、係止爪を係止孔６２に係止させることによって、外枠部４が取付枠６に係止される。枠体４６の外周部には、背面方向に突出する側板４４が設けられており、下面の側板４４には、枠体４６を取付枠６から取り外すための溝４５が設けられている。溝４５に例えばマイナスドライバ等の先端を挿入して、枠体４６を取付枠６から取り外すことができる。
【００２４】
ここで、スイッチ装置１を壁７に取り付ける方法を説明する。スイッチ２の突台部２１ｃを取付枠６の背面から挿入孔６１に挿入し、スイッチ２の係止爪２５をそれぞれ取付枠６の係止孔に挿入すると、突台部２１ｃが取付枠６の前面から突出した状態で、スイッチ２が取付枠６に固定される。取付枠６にスイッチ２が固定された状態で、取付枠６の孔６３と、壁７に埋設されたスイッチボックスのねじ部とをねじ止めすることで、取付枠６が壁７に取り付けられる。取付枠６から突出した突台部２１ｃが挿入孔５３内に挿入されるように内枠部５を取付枠６の前側に重ねると、内枠部５の背面に設けられた係止爪５２が取付枠６の係止孔６４に挿入され、内枠部５が取付枠６の前面に取り付けられる。さらに、取付枠６の前面に突出している突出部５１が外枠部４の背面から開口部４３内に挿入されるように外枠部４を取付枠６の前側に重ねると、外枠部４の背面に設けられた係止爪が係止孔６２に挿入され、外枠部４が取付枠６の前面に取り付けられる。内枠部５と外枠部４とを取付枠６に取り付けることにより、化粧プレート３が取付枠６に取り付けられた状態になる。
【００２５】
壁７に取り付けられたスイッチ装置１は、化粧プレート３の前面（突出部４１、Ｕ字板４２、突出部５１）と突台部２１ｃの前面とがほぼ面一な状態であり、ハンドル２３が化粧プレート３の前面から前方に突出している。スイッチ装置１の外観は図３に示すように、化粧プレート３の左辺を除く三辺がＵ字板４２によって銀色に配色され、化粧プレート３の左辺は、突出部４１によって黒色に配色されている。また、突出部４１と、突出部５１と、突台部２１ｃとで形成される矩形領域が黒色に配色されており、黒色の矩形領域の内側には、赤色のハンドル２３が突出部４１の長手方向（上下方向）に沿って揺動自在に配置されている。
【００２６】
以上説明したように、本実施形態のスイッチ装置１は、スイッチ２と、化粧プレート３（枠部）とを備える。スイッチ２は、操作のためのハンドル２３が前面（突台部２１ｃの前面）に揺動自在に配置され、前面を露出させた状態で壁７に取り付けられる。化粧プレート３は、外周が四角形状であってスイッチ２が挿入される挿入孔５３を有し、挿入孔５３からスイッチ２の前面を露出させた状態で壁７に取り付けられる。スイッチ２が挿入された状態の化粧プレート３において、ハンドル２３の揺動方向に沿う突出部４１（枠部の一辺）は、Ｕ字板４２（枠部の他の三辺）と異なる配色であって、ハンドル２３は、化粧プレート３のいずれの配色とも異なる配色である。
【００２７】
スイッチ装置１を操作するためのハンドル２３が、化粧プレート３のいずれの配色とも異なっており、ハンドル２３が浮き出すように見えるので、操作位置がわかりやすくなり、使用者が誤った操作位置を押しにくくなる。
【００２８】
本実施形態において、ハンドル２３を除くスイッチ装置１の前面はほぼ面一に形成されていて、ハンドル２３が前方に突出しているため、ハンドル２３がより浮き出すように見えることも好ましい。また、突起２４がハンドル２３とは異なる色（白色）であるため、ハンドル２３のオン操作位置がハンドル２３の下側であることがわかりやすいことも好ましい。
【００２９】
尚、本実施形態のスイッチ装置１において、カバー２１と内枠部５と突出部４１とは黒色であるが、図３に示すようにカバー２１と内枠部５と突出部４１とが同じ色であれば、使用用途に応じて適宜の色でよい。また、Ｕ字板４２は銀色であるが、突出部４１と異なる色であれば、使用用途に応じて適宜の色でよい。さらに、ハンドル２３は赤色であるが、突出部４１と異なる色であって且つＵ字板４２と異なる色であれば、使用用途に応じて適宜の色でよい。加えて、ランプカバー２２を透過するランプの発光色は赤色に限定されず、適宜の発光色でよい。
【符号の説明】
【００３０】
１      スイッチ装置
２      スイッチ
２０    ケース
２１    カバー
２１ｃ  突台部
２２    ランプカバー
２３    ハンドル
２６    ボディ
３      化粧プレート（枠部）
４      外枠部
４１    突出部（枠部の一辺）
４２    Ｕ字板（枠部の他の三辺）
４６    枠体
５      内枠部
５１    突出部
５３    挿入孔
６      取付枠
７      壁
【図１】
2015011907.tif 000003
【図２】
2015011907.tif 000004
【図３】
2015011907.tif 000005